(57)【要約】【課題】プルリング（２８、１２８、２２８、３２８）を備えた合成樹脂製容器蓋（２、３０２）において、容器蓋が小径であることに起因してプルリングが相当小径である場合でも、容易且つ確実にプルリングに指を掛け、必要に応じてプルリングに指を挿通せしめることができるようにする。【解決手段】プルリングには一対の屈曲部（３０、１３０、３３０）が配設されており、屈曲部の少なくとも片側には屈曲部から遠ざかるに従って上方に傾斜して延びる傾斜部（３２、３４、１３２、３３２、３３４）が配設されている。【選択図】図３
2011143974.tif 000002
【特許請求の範囲】
【請求項１】
プルリングを備えた合成樹脂製容器蓋において、
該プルリングには一対の屈曲部が配設されていると共に、該屈曲部の少なくとも片側には該屈曲部から遠ざかるに従って上方に傾斜して延びる傾斜部が配設されている、ことを特徴とする合成樹脂製容器蓋。
【請求項２】
破断可能ラインによって切取領域が規定されている底壁と、該切取領域から上方に延びる連結柱とを含み、該プルリングは該連結柱を介して該切取領域に連結されており、該プルリングを引っ張ることによって該破断ラインが破断され該切取領域が該底壁から切り取られ排出開口が生成される、請求項１記載の合成樹脂製容器蓋。
【請求項３】
該プルリングの該一対の屈曲部は該連結柱の周方向中心から周方向両側に略９０度の角度をおいて配置されており、該プルリングは該屈曲部の片側においては該屈曲部から該連結柱の直径方向反対側まで該屈曲部から遠ざかるに従って漸次上方に傾斜して延びている、請求項２記載の合成樹脂製容器蓋。
【請求項４】
該プルリングは該屈曲部の他側においては該屈曲部から該連結柱まで実質上水平に延びている、請求項２記載の合成樹脂製容器蓋。
【請求項５】
該連結柱は周方向に隣接せしめて２個配設されており、該プルリングは該連結柱の一方から該連結柱の他方まで平面図において略円形状に延びている、請求項２から４でのいずれかに記載の合成樹脂製容器蓋。
【請求項６】
該連結柱は単一下部と二股に分岐せしめられている上部とを有し、該プルリングが該連結柱の二股に分岐せしめられた該上部の一方から他方まで平面図において略円形状に延びている、請求項２から４までのいずれかに記載の合成樹脂製容器蓋。
【請求項７】
円形底壁と、該底壁の周縁から上方に延びる円筒形側壁と、該側壁の上端から半径方向外方に延出する環状フランジ壁とを有し、該プルリングは該側壁の内面に連結されている、請求項１記載の合成樹脂製容器蓋。
【請求項８】
該プルリングの該一対の屈曲部は該プルリングと該側壁との連結部の周方向中心から周方向両側に略９０度の角度をおいて配置されており、該プルリングは該屈曲部の片側においては該屈曲部から該連結部の直径方向反対側まで該屈曲部から遠ざかるに従って漸次上方に傾斜して延びている、請求項７記載の合成樹脂製容器蓋。
【請求項９】
該プルリングは該屈曲部の他側においては該屈曲部から該連結部まで実質上水平に延びている、請求項７又は８記載の合成樹脂製容器蓋。
【発明の詳細な説明】
【技術分野】
【０００１】
本発明は、プルリングを備えた合成樹脂製容器蓋に関する。
【背景技術】
【０００２】
プルリングを備えた合成樹脂製容器蓋の典型例としては、液体調味料を収容した容器に好都合に使用されている、容器蓋本体と冠帽体とから構成された容器蓋を挙げることができる。容器の口頸部に装着される容器蓋本体は、破断可能ラインによって切取領域が規定されている底壁と、かかる底壁の切取領域から上方に延びる連結柱と、連結柱を介して底壁に連結されたプルリングとを含んでいる。冠帽体は容器蓋本体に旋回自在に連結され或いは容器蓋本体とは別個に成形され、容器蓋本体の底壁及びプルリングを覆う閉位置とこれらを露呈せしめる開位置とに選択的に位置せしめられる。冠帽部を開位置にせしめ、プルリングに指を掛けて引っ張ると、破断可能ラインが破断されて切取領域が底壁から切り取られて排出開口が生成され、かかる排出開口を通して容器内に収容されている液体の排出が可能になる。
【０００３】
プルリングを備えた合成樹脂製容器蓋の他の例としては、液体飲料を収容した容器の所謂中栓として使用されている容器蓋を挙げることができる。かかる容器蓋は円形底壁と、この底壁の周縁から上方に延びる円筒形側壁と、側壁の上端から半径方向外方に延出する環状フランジ壁とを有し、プルリングは側壁の内面に連結されている。かような容器蓋は底壁及び側壁が容器の口頸部内に挿入され、フランジ壁が口頸部の上端面に当接せしめられる。そして、口頸部から容器蓋を離脱する際にはプルリングに指を掛けて上方に引っ張ればよい。
【発明の概要】
【発明が解決しようとする課題】
【０００４】
而して、プルリングを備えた従来の合成樹脂製容器蓋には、次のとおりの解決すべき問題が存在する。特に容器の口頸部が小径であり、従って容器蓋自体も小径である場合、プルリングは相当小径になり、プルリングに指を掛けるのが必ずしも容易でない。かかる問題を解決せんとして、実公昭５６−４９８９９号公報及び実開昭５３−１２９６５５号公報に開示されている合成樹脂製容器蓋においては、連結柱を介して底壁に連結されているプルリングを連結柱から離れるに従って上方に向かって傾斜して延びる形態にせしめることが開示されている。プルリングをかような形態にせしめると、プルリングにおける連結柱に対して直径方向反対側に位置する部位が最も高くなり、プルリングが小径の場合でもプルリングの最も高い部位に指を掛けることが幾分容易になる。しかしながら、未だ充分に満足し得るものではなく、プルリング内に指を充分に挿入することができず、一旦プルリングに掛けた指がプルリングから離脱してしまうことも少なくない。
【０００５】
本発明は上記事実に鑑みてなされたものであり、その主たる技術的課題は、容器蓋が小径であり、従ってプルリングが相当小径である場合でも、容易且つ確実にプルリングに指を掛け、必要に応じてプルリングに指を挿通せしめることができる、新規且つ改良された合成樹脂製容器蓋を提供することである。
【課題を解決するための手段】
【０００６】
本発明においては、プルリングに一対の屈曲部を配設すると共に、屈曲部の少なくとも片側には屈曲部から遠ざかるに従って上方に傾斜して延びる傾斜部を配設し、プルリングの他の部分に邪魔されることなくプルリングの最も高い部位に容易に指を掛けることができるようになすと共に、プルリングに掛けた指を引っ張るとプルリングの屈曲部が伸張されてプルリングが拡張されプルリングに対する指の挿入が促進されるようになすことによって、上記技術的課題を達成する。
【０００７】
即ち、本発明によれば、上記技術的課題を達成する合成樹脂製容器蓋として、プルリングを備えた合成樹脂製容器蓋において、該プルリングには一対の屈曲部が配設されていると共に、該屈曲部の少なくとも片側には該屈曲部から遠ざかるに従って上方に傾斜して延びる傾斜部が配設されている、ことを特徴とする合成樹脂製容器蓋が提供される。
【０００８】
好適実施形態においては、破断可能ラインによって切取領域が規定されている底壁と、該切取領域から上方に延びる連結柱とを含み、該プルリングは該連結柱を介して該切取領域に連結されており、該プルリングを引っ張ることによって該破断ラインが破断され該切取領域が該底壁から切り取られ排出開口が生成される。好ましくは、該プルリングの該一対の屈曲部は該連結柱の周方向中心から周方向両側に略９０度の角度をおいて配置されており、該プルリングは該屈曲部の片側においては該屈曲部から該連結柱の直径方向反対側まで該屈曲部から遠ざかるに従って漸次上方に傾斜して延びている。該プルリングは該屈曲部の他側においては該屈曲部から該連結柱まで実質上水平に延びる形態にせしめることができる。該連結柱を周方向に隣接せしめて２個配設し、該プルリングは該連結柱の一方から該連結柱の他方まで平面図において略円形状に延びる形態にせしめることができる。或いは、該連結柱を単一下部と二股に分岐せしめられている上部とを有する形態にせしめ、該プルリングが該連結柱の二股に分岐せしめられた該上部の一方から他方まで平面図において略円形状に延びる形態にせしめることもできる。他の好適実施形態においては、円形底壁と、該底壁の周縁から上方に延びる円筒形側壁と、該側壁の上端から半径方向外方に延出する環状フランジ壁とを有し、該プルリングは該側壁の内面に連結されている。好ましくは、該プルリングの該一対の屈曲部は該プルリングと該側壁との連結部の周方向中心から周方向両側に略９０度の角度をおいて配置されており、該プルリングは該屈曲部の片側においては該屈曲部から該連結部の直径方向反対側まで該屈曲部から遠ざかるに従って、漸次上方に傾斜して延びている。該プルリングは該屈曲部の他側においては該屈曲部から該連結部まで実質上水平に延びる形態にせしめることができる。
【発明の効果】
【０００９】
本発明の合成樹脂容器蓋においては、容器蓋が小径であることに起因してプルリングが相当小径である場合でも、容易且つ確実にプルリングに指を掛け、必要に応じてプルリングに指を挿通せしめることができる。
【図面の簡単な説明】
【００１０】
【図１】本発明に従って構成された合成樹脂製容器蓋の好適実施形態を、冠帽部を開状態にせしめて示す平面図。
【図２】図１の線Ａ―Ａにおける断面図。
【図３】図１に示す容器蓋の容器蓋本体に配設された連結柱、プルリングを示す部分斜面図。
【図４】本発明に従って構成された合成樹脂製容器蓋の変形例の一部を拡大して示す部分斜面図。
【図５】本発明に従って構成された合成樹脂製容器蓋の他の変形例の一部を拡大して示す部分斜面図。
【図６】本発明に従って構成された容器蓋の更に他の変形例を示す斜面図。
【発明を実施するための形態】
【００１１】
以下、本発明に従って構成された合成樹脂製容器蓋の好適実施形態を図示している添付図面を参照して、更に詳述する。
【００１２】
図１及び図２を参照して説明すると、全体を番号２で示す容器蓋は、その全体がポリエチレン又はポリプロピレン如き適宜の合成樹脂から一体に形成されている。容器蓋２は容器蓋本体４とこの容器蓋本体４に連結されている冠帽部６とから構成されている。
【００１３】
容器蓋本体４は略円板形状でよい底壁８を有する。この底壁８の下面には外側垂下壁１０及び内側垂下壁１２が形成されている。外側垂下壁１０は略円筒形状であり、底壁８の外周縁から下方に垂下せしめられている。内側垂下壁１２も略円筒形状であり、外側垂下壁１０と実質上同心状に底壁８の下面から下方に垂下せしめられている。外側垂下壁１０の内周面の軸方向中央部には、半径方向内方に突出した環状係止突条１４が形成されている。内側垂下壁１２の外周面下部は断面図において弧状をなし、下方に向かって外径が漸次低減せしめられている。
【００１４】
底壁８の上面には環状係止壁１６が形成されている。この係止壁１６は底壁８の上面における外周縁部から上方に延びる略円筒形状であり、その外周面上端には半径方向外方に突出した環状係止突条１８が形成されている。底壁８の上面には注出案内壁２０も形成されている。図示の注出案内壁２０は底壁８の上面から上方に延びる略円筒形状であり、その上端部は半径方向外方に湾曲せしめられているが、所望ならば、注出案内壁２０の右側領域の上端部を切り欠くこともできる。注出案内壁２０は係止壁１６と同心状ではなく、係止壁１６に対して図１及び図２において若干左方に変位せしめられている。係止壁１６は比較的低く、注出案内壁２０は比較的高く、注出案内壁２０は係止壁１６を超えて上方に延出せしめられている。
【００１５】
図示の実施形態においては、底壁８には、破断可能ライン２２によって切取領域２４が規定されている。かかる破断可能ライン２２は上記内側垂下壁１２及び注出案内壁２０よりも半径方向内側を略円形状に延びており、底壁８の肉厚を低減せしめた所謂スコアから構成することができる。切取領域２４には、その上面周縁部から実質上鉛直に延びる連結柱２６を介して、プルリング２８が連結されている。
【００１６】
図１及び図２と共に図３を参照して説明をすると、上記連結柱２６は図１（即ち平面図）において略円弧状であり、上記プルリング２８は図１（即ち平面図）において略円形状に延在している。プルリング２８には、一対の屈曲部３０が配設されていると共に、屈曲部の少なくとも片側、特に連結柱２６に対して直径方向反対側には屈曲部から遠ざかるに従って上方に傾斜して延びる傾斜部が配設されていることが重要である。図示の実施形態においては、プルリング２８の一対の屈曲部３０は連結柱２６の周方向中心から周方向両側に略９０度の角度をおいて配置されており、屈曲部３０の片側においては屈曲部３０から連結柱２６の直径方向反対側まで屈曲部３０から遠ざかるに従って漸次上方に傾斜して延びる傾斜部３２が配設され、屈曲部３０の他側においては屈曲部３０から連結柱２６まで屈曲部３０から遠ざかるに従って漸次上方に傾斜して延びる傾斜部３４が配設されている。傾斜部３２は水平に対して略２０度で傾斜しており、傾斜部３４は水平に対して略２０度で傾斜している。プルリング２８における連結柱２６に対して直径方向反対側に位置する部位は、冠帽部６が容器蓋本体４の底壁８、連結柱２６及びプルリング２８を露呈せしめた状態においては、図２に実線で示す如く上記注出案内壁２０の上端より上方に位置する（プルリング２８における連結柱２６に対して直径方向反対側に位置する部位は、冠帽部６が図２に二点鎖線で示す閉位置に位置せしめた状態においては、冠帽部６によって図２に二点鎖線で示す位置に弾性的に変位せしめられている）。
【００１７】
図１及び図２を参照して説明を続けると、冠帽部６は円形天面壁３６とこの天面壁３６の周縁から垂下する（即ち冠帽部６が図２に二点鎖線で示す閉位置に位置せしめられている時に天面壁３６の周縁から下方に延びる）円筒形状のスカート壁３８とを有する。冠帽部６には、更に、天面壁３６の内面から下方に延出する円筒形状のシール壁４０も形成されている。シール壁４０はスカート壁３８と同心状ではなく、図１及び図２においてスカート壁３８に対して若干右方に変位せしめられている（冠帽部６が図２に二点鎖線で示す閉位置に位置せしめられると、スカート壁３８が容器蓋本体４の係止壁１６と同心状に位置し、シール壁４０が容器蓋本体４の注出案内壁２０と同心状に位置する）。シール壁４０の外周面は延出端に向かって外径が漸次減少する逆円錐台形状にせしめられている。スカート壁３８の内周面下端部には環状係止溝４２が形成されている。かような冠帽部６は、それ自体は周知の形態でよい旋回連結部４４を介して容器蓋本体４に連結されている。旋回連結部４４は容器蓋本体４の底壁８の外周面と冠帽部６のスカート壁３８の外周面下端との間に配置されている。冠帽部６には、旋回連結部４４の直径方向反対側においてスカート壁３８の外周面下端から半径方向外方に突出する突出片４６も形成されている。
【００１８】
図２には、容器蓋２が適用される容器の口頸部４８も図示されている。ガラス或いはポリエチレンテレフタレートの如き適宜の合成樹脂から形成することができる容器の口頸部４８は略円筒形状であり、その外周面上端部には半径方向外方に突出する環状係止あご部５０が形成されている。図２に明確に図示する如く、容器蓋本体４は、容器の口頸部４８の上端部を外側垂下壁１０と内側垂下壁１２との間に受け入れて、口頸部４８に装着される。外側垂下壁１０の内周面に形成されている係止突条１４が口頸部４８の係止あご部５０の下方に係止され、これによって口頸部４８に容器蓋本体部４が係止される。内側垂下壁１２と外側垂下壁１０の間にて口頸部４８の上端面が底壁８の下面に密接せしめられ、これによって口頸部４８が密封される。冠帽体６が閉位置に位置せしめられると、スカート壁３８の内周面に形成されている係止溝４２が容器蓋本体４の係止壁１６の外周面に形成されている係止突条１８に係止めせしめられ、これによって冠帽体６が二点鎖線で示す閉位置に係止せしめられる。冠帽体６のシール壁４０の外周面は容器蓋本体４の注出案内壁２０の内周面上部に密接せしめられる。
【００１９】
容器内に収容されている液体を排出する際には、冠帽部６を二点鎖線で示す閉位置から実線で示す開位置に旋回せしめると、プルリング２８は二点鎖線で示す位置から実線で示す位置まで弾性的に復元せしめられる。次いで、プルリング２８に指を掛けて引っ張り、底壁８に形成されている破断可能ライン２２を破断する。プルリング２８には一対の屈曲部３０が配設されており、その片側（連結柱２６の反対側）には屈曲部３０から離れるに従って漸次上方に延びる傾斜部３２が存在し、それ故にプルリング２８が比較的小径の場合でもプルリング２８の傾斜部３２に容易に指を掛けることができる。そして、プルリング２８に指を掛けて引っ張ると、プルリング２８自体が伸張せしめられることに加えて、その屈曲部３０が直線状に変形せしめられることによってプルリング２８の内径が増大せしめられ、かくしてプルリング２８の内径が比較的小さい場合でも充分容易にプルリング２８内に指を挿入することができる。底壁８に形成されている破断可能ライン２２が破断されると、プルリング２８及び連結柱２６と共に底壁８の切取領域２４が容器蓋本体４から分離され、底壁８に排出開口が生成される。しかる後においては、容器全体を傾動せしめることによって、排出開口を通じて液体を排出することができる。所要量の液体の注出が終了すると、冠帽部６を二点鎖線で示す閉位置に旋回せしめる。かくすると、冠帽部６の天面壁３６の内面がプルリング２８における連結柱２６に対して直径方向反対側に位置する部位に当接せしめられ、プルリング２８を図２に実線で示す位置から二点鎖線で示す位置に弾性的に変位せしめる。これと共に冠帽部６のシール壁４０の外周面は容器蓋本体４の注出案内壁２０の内周面上部に密接せしめられ、容器の口頸部４８は一時的に密封される。
【００２０】
図４は本発明に従って構成された容器蓋の変形例の一部を図示している。この変形例においては、プルリング１２８を底壁１０８に連結するための連結柱１２６が、周方向に若干の間隔を置いて２個配設されており、プルリング１２８は連結柱１２６の一方の上端部から連結柱１２６の他方の上端部まで平面図において略円形状に延びている。そして、プルリング１２８に形成されている一対の屈曲部１３０の片側（連結柱１２６に対して直径方向反対側）には屈曲部１３０から離れるに従って漸次上方に傾斜して延びる傾斜部１３２が配設されているが、一対の屈曲部１３０の他側には屈曲部１３０から連絡柱１２６まで実質上水平に延びている水平部１２７が存在する。図４に図示する容器蓋のその他の構成は図１乃至図３に図示する容器蓋と同一でよい。
【００２１】
図４に図示する容器蓋においては、プルリング１２８に指を掛けて引っ張ると、２個の連結柱１２６が相互に離れる方向に弾性的に撓まされ、これによってプルリング１２８の内径の増大が助長される。
【００２２】
図５は容器蓋の他の変形例の一部を図示している。この変形例においては、連結柱２２６は単一下部２２７と二股に分岐せしめられている上部２２９とを有する。プルリング２２８は連結柱２２６の二股に分岐せしめられた上部２２９の一方の上端部から他方の上端部まで平面図において略円形状に延びている。図５に図示する容器蓋のその他の構成は図１乃至図３に図示する容器蓋と同一でよい。
【００２３】
図５に図示する容器蓋においては、プルリング２２８に指を掛けて引っ張ると、連結柱２２６の二股に分岐されている上部２２９が相互に離れる方向に弾性的に撓まされ、これによってプルリング２２８の内径の増大が助長される。
【００２４】
上述した実施形態においては冠帽部６が旋回連結部４４を介して容器蓋本体４に連結されているが、本発明は、冠帽部が容器蓋本体に着脱自在に螺着される形態の容器蓋、或いは切取領域及びこれに連結されたプルリングが容器蓋とは別個に形成された栓体に配設されている形態の容器蓋にも適用することができる。
【００２５】
図６は本発明に従って構成された容器蓋の他の実施形態を図示している。図示の実施形態においては、容器蓋３０２は円形底壁３０８と、底壁３０８の周縁から上方に延びる円筒形側壁３０９と、側壁３０９の上端から半径方向外方に延出する環状フランジ壁３１１とを有し、略円形状のプルリング３２８が側壁３０９の内面上端に連結されている。かかるプルリング３２８の一対の屈曲部３３０はプルリング３２８と側壁３０９との連結部３１３の周方向中心から周方向両側に略９０度の角度をおいて配置されており、プルリング３２８は屈曲部３３０の片側においては屈曲部３３０から連結部３１３の直径方向反対側まで屈曲部３３０から遠ざかるに従って漸次上方に傾斜して延びている傾斜部３３２が配設され、屈曲部３３０の他側においては屈曲部３３０から連結部３１３まで屈曲部３３０から遠ざかるに従って漸次上方に傾斜して延びる傾斜部３３４が配設されている。傾斜部３３２は水平に対して略２０度で傾斜しており、傾斜部３３４は水平に対して略２０度で傾斜している。
【００２６】
図６に図示する容器蓋３０２は、所謂中栓として使用されるものであり、底壁３０８及び側壁３０９が容器の口頸部内に挿入され、フランジ壁３１１が口頸部の上端部に当接せしめられる。容器内に収容されている液体を排出する際には、プルリング３２８に指を掛けて引っ張ると、容器蓋３０２は容器の口頸部から離脱され容器の口頸部は開放される。プルリング３２８には一対の屈曲部３３０が配設されており、その片側（連結部３１３の反対側）には屈曲部３３０から離れるに従って漸次上方に延びる傾斜部３３２が存在し、それ故にプルリング３２８が比較的小径の場合でもプルリング３２８の傾斜部３３２に容易に指を掛けることができる。そして、プルリング３２８に指を掛けて引っ張ると、プルリング３２８自体が伸張せしめられることに加えて、その屈曲部３３０が直線状に変形せしめられることによってプルリング３２８の内径が増大せしめられ、かくしてプルリング３２８の内径が比較的小さい場合でも充分容易にプルリング３２８内に指を挿入することができる。
【符号の説明】
【００２７】
２：容器蓋
８：底壁
２２：破断可能ライン
２４：切取領域
２６：連結柱
２８：プルリング
３０：屈曲部
３２：傾斜部
３４：傾斜部
１０８：底壁
１２６：連結柱
１２７：水平部
１２８：プルリング
１３０：屈曲部
１３２：傾斜部
２２６：連結柱
２２７：下部
２２８：プルリング
２２９：上部
３０２：容器蓋
３０８：底壁
３０９：側壁
３１１：フランジ壁
３１３：連結部
３２８：プルリング
３３０：屈曲部
３３２：傾斜部
３３４：傾斜部
【図１】
2011143974.tif 000003
【図２】
2011143974.tif 000004
【図３】
2011143974.tif 000005
【図４】
2011143974.tif 000006
【図５】
2011143974.tif 000007
【図６】
2011143974.tif 000008
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
破断可能ラインによって切取領域が規定されている底壁と、該切取領域から上方に延びる連結柱と、該連結柱を介して該切取領域に連結されたプルリングとを備えた合成樹脂製容器蓋において、
該プルリングには該連結柱の周方向中心から周方向両側に略９０度の角度をおいて配置された一対の屈曲部が配設されており、該プルリングは該屈曲部の片側においては該屈曲部から該連結柱の直径方向反対側まで該屈曲部から遠ざかるに従って漸次上方に傾斜して延びており、該屈曲部の他側においては該屈曲部から該連結柱まで水平に延びている、ことを特徴とする合成樹脂製容器蓋。
【請求項２】
該連結柱は周方向に隣接せしめて２個配設されており、該プルリングは該連結柱の一方から該連結柱の他方まで平面図において略円形状に延びている、請求項１記載の合成樹脂製容器蓋。
【請求項３】
該連結柱は単一下部と二股に分岐せしめられている上部とを有し、該プルリングが該連結柱の二股に分岐せしめられた該上部の一方から他方まで平面図において略円形状に延びている、請求項１記載の合成樹脂製容器蓋。
【請求項４】
円形底壁と、該底壁の周縁から上方に延びる円筒形側壁と、該側壁の上端から半径方向外方に延出する環状フランジ壁と、該側壁の内面に連結されているプルリングとを備えた合成樹脂製容器蓋において、
該プルリングには該プルリングと該側壁との連結部の周方向中心から周方向両側に略９０度の角度をおいて配置された一対の屈曲部が配設されており、該プルリングは該屈曲部の片側においては該屈曲部から該連結部の直径方向反対側まで該屈曲部から遠ざかるに従って漸次上方に傾斜して延びており、該屈曲部の他側においては該屈曲部から該連結部まで水平に延びている、ことを特徴とする合成樹脂製容器蓋。